(57)【要約】【課題】排水スリーブ設置時の位置ずれを防止し、排水スリーブ内への生コンクリートの流入を阻止するとともに、排水スリーブ形成後に簡易に排水スリーブから取り外すことを可能とする排水スリーブ設置用治具を提供する。【解決手段】外周側に排水スリーブの内周面へ当接可能である円弧面を有する半円形の湾曲部と、湾曲部の一方の端面側に湾曲部の径方向外方へ半円扇形の鍔状に突設されており湾曲部側が排水スリーブの開口端部に当接可能な開口端接触面で開口端接触面と反対側が型枠表面に当接可能な型枠接触面であるフランジ部と、湾曲部のフランジ部側の端面にフランジ部と平行にリブ状に立設されており湾曲部への排水スリーブ当接後に湾曲部の外周部を係止可能とする爪を湾曲部側に有する１又は複数の係合部と、湾曲部より内側に設けられており型枠表面に型枠接触面を接触させた状態で固定するための食い込み部材取付用の貫通穴とを備える。【選択図】図１
2014190009.tif 000002
【特許請求の範囲】
【請求項１】
排水スリーブを型枠で区画されたところに設置する際に使用する排水スリーブ設置用治具であって、
外周側に前記排水スリーブの内周面へ当接可能である円弧面を有する半円形の湾曲部と、
前記湾曲部の一方の端面側に前記湾曲部の径方向外方へ半円扇形の鍔状に突設されており湾曲部側が前記排水スリーブの開口端部に当接可能な開口端接触面で前記開口端接触面と反対側が前記型枠表面に当接可能な型枠接触面であるフランジ部と、
前記湾曲部の前記フランジ部側の端面に前記フランジ部と平行にリブ状に立設されており前記湾曲部への前記排水スリーブ当接後に前記湾曲部の外周部を係止可能とする爪を前記湾曲部側に有する１又は複数の係合部と、
前記湾曲部より内側に設けられており前記型枠表面に前記型枠接触面を接触させた状態で固定するための食い込み部材取付用の貫通穴とを備えることを特徴とする排水スリーブ設置用治具。
【請求項２】
前記湾曲部は、前記フランジ部側から離れるにしたがって、径が小さくなるテーパ形状になっており、
前記係止部が弾性を有し前記湾曲部外周面から前記爪までの長さが前記排水スリーブの厚み分より僅かに長くなっており、
前記湾曲部の開口側両端を結ぶ支柱と前記支柱と垂直であって前記湾曲部の中央部と前記支柱の中央部とを結ぶ第二の支柱を有し、
前記貫通穴が前記湾曲部の内側面と前記第二の支柱に設けられていることを特徴とする請求項１に記載の排水スリーブ設置用治具。
【発明の詳細な説明】
【技術分野】
【０００１】
本発明は、排水スリーブを設置する際にスリーブ内に生コンクリートが流れ込むことを防止するための排水スリーブ設置用治具に関する。
【背景技術】
【０００２】
高層ビルなどの建設現場において、耐圧盤や土間スラブに排水スリーブを設ける際、例えば、木製などのいわゆるコンパネ（コンクリートパネル：コンクリート型枠用合板の略称）間に半割パイプを載置し、型枠内に打設した生コンクリートが固まった後で型枠を取り外して形成する。このような方法で排水スリーブを設ける場合には、パイプの内部に流動性のある生コンクリートが流れ込まないように、パイプの開口端と型枠の面との間に隙間を開けないようにするなどの対策をとる必要がある。コンクリートが固化した後、パイプはコンクリートの中に埋設され、型枠のコンパネを取り外すことで排水スリーブの流水出入口が確保される。
【０００３】
しかし、コンクリートを型枠内に流し込む際の流動圧力によって半割パイプの位置が所定の位置からずれてしまうという問題があり、また、半割パイプの両端とコンパネとの隙間に生コンクリートが流入し、排水スリーブ内にコンクリートが残留して固まってしまうという問題があり、これらの問題を解決する手段として、半割パイプの開口端を塞ぐ平面部を有し、キャップの左右両端から延在して地面に対して固定するためのフランジ部とを備える排水スリーブ用キャップが開発された（例えば、特許文献１参照）。
【先行技術文献】
【特許文献】
【０００４】
【特許文献１】実登３１２６３１２号公報
【発明の概要】
【発明が解決しようとする課題】
【０００５】
しかし、特許文献１記載のキャップでは、生コンクリートを型枠に流し込んで固めて型枠を取り除いた状態では、排水スリーブの開口部は前記平面部によって隠蔽されたままであり、流水口を形成するためには前記平面部をハンマーで打ち付け、その衝撃力により破壊する必要があるという問題があった。開口部を形成しないと水が流れないため本作業は必須となるが、ハンマーを用意して破壊するのは手間であり、また、半割パイプが小径で当該平面部の面積が小さいとき等にはハンマーで当該平面部のみを破壊することが困難であるという問題があった。また、打ち抜くために平面部に設けられたスリットは、排水スリーブ内側の径より小径に形成されるため、打ち抜き後も残る部分が排水スリーブ内に張り出してしまい、排水の障害となるという問題があった。
【０００６】
加えて、キャップは排水スリーブには密接させるものの型枠に対しては密接されていないため、キャップと型枠との間に隙間があると、その隙間に入り込んだセメントが当該平面部を形成する複数のスリットを介して排水スリーブ内部に流れ込むおそれがあるという問題があった。
【０００７】
また、特許文献１記載のキャップでは、半割パイプにかぶせた後、キャップ左右端外側に延在して張り出したフランジ部をねじ等で床面に固定する必要があり、床面がコンクリートであると釘打ち固定が難しいという問題があった。フランジ部が半割パイプの外側キャップの側面外側に張り出して形成されているため、壁面に沿って或いは壁面近傍に排水スリーブを設けようとしても、フランジ部の分だけ壁から離れてしまうかキャップを使用できないという問題があった。
【０００８】
そこで、本発明は、排水スリーブ設置時の位置ずれを防止し、排水スリーブ内への生コンクリートの流入を阻止するとともに、排水スリーブ形成後に簡易に排水スリーブから取り外すことを可能とする排水スリーブ設置用治具を提供することを目的とする。
【課題を解決するための手段】
【０００９】
本発明の第１の態様は、排水スリーブを型枠で区画されたところに設置する際に使用する排水スリーブ設置用治具であって、
外周側に前記排水スリーブの内周面へ当接可能である円弧面を有する半円形の湾曲部と、
前記湾曲部の一方の端面側に前記湾曲部の径方向外方へ半円扇形の鍔状に突設されており湾曲部側が前記排水スリーブの開口端部に当接可能な開口端接触面で前記開口端接触面と反対側が前記型枠表面に当接可能な型枠接触面であるフランジ部と、
前記湾曲部の前記フランジ部側の端面に前記フランジ部と平行にリブ状に立設されており前記湾曲部への前記排水スリーブ当接後に前記湾曲部の外周部を係止可能とする爪を前記湾曲部側に有する１又は複数の係合部と、
前記湾曲部より内側に設けられており前記型枠表面に前記型枠接触面を接触させた状態で固定するための食い込み部材取付用の貫通穴とを備えることを特徴とする排水スリーブ設置用治具を提供する。
【００１０】
前記湾曲部は、前記フランジ部側から離れるにしたがって、径が小さくなるテーパ形状になっており、
前記係止部が弾性を有し前記湾曲部外周面から前記爪までの長さが前記排水スリーブの厚み分より僅かに長くなっており、
前記湾曲部の開口側両端を結ぶ支柱と前記支柱と垂直であって前記湾曲部の中央部と前記支柱の中央部とを結ぶ第二の支柱を有し、
前記貫通穴が前記湾曲部の内側面と前記第二の支柱に設けられていることが好ましい。
【発明の効果】
【００１１】
本発明の排水スリーブ設置用治具は上述したように構成されており、本発明の排水スリーブ設置用治具によれば、貫通孔に釘などの食込み部材が取り付けられることにより型枠に固定されるので、排水スリーブ設置時の位置ずれを防止し、排水スリーブ形成後に簡易に排水スリーブから取り外すことを可能とする。
【００１２】
加えて、本発明の排水スリーブ設置用治具は、排水スリーブの内周面に接触する湾曲部と、型枠とともに排水スリーブの開口端部を覆うフランジ部とにより、排水スリーブの開口部が密閉されるので、スリーブ内へのコンクリート等の流入を阻止できる。
【００１３】
また、本発明の排水スリーブ設置用治具によれば、排水スリーブの開口端部外表面に係合する係合体により、半割パイプが排水スリーブ設置用治具に対して密着し、半割パイプの内周面とフランジ部との間に隙間が形成されるのを防ぐことができる。
【００１４】
また、本発明の排水スリーブ設置用治具は、湾曲部を排水スリーブの内周面から徐々に離れる方向に傾斜させることにより、型枠と一体として取り外し易いようにすることができる。
【図面の簡単な説明】
【００１５】
【図１】本発明の実施例１の排水スリーブ設置用治具の(a)正面図（ｂ）側面図（C）要部Ａ-Ａ断面図である。
【図２】本発明の実施例１の排水スリーブ設置用治具の取付手順を示す図である。
【図３】本発明の実施例１の排水スリーブ設置用治具の反割パイプへの取付状態を示す斜視図である。
【図４】本発明の実施例２の排水スリーブ設置用治具の(a)正面図（ｂ）要部Ａ´-Ａ´面断面図である。
【図５】本発明の実施例２の排水スリーブ設置用治具の斜視図である。
【発明を実施するための形態】
【００１６】
以下、本発明の排水スリーブ設置用治具の一実施形態について、図面を参照し実施例を用いて具体的に説明するが、本発明はこれらに限定されるものではない。
【実施例１】
【００１７】
図１は、本発明の実施例１の排水スリーブ設置用治具の(a)正面図（ｂ）側面図（C）要部Ａ-Ａ断面図である。また、図２は、本発明の実施例１の排水スリーブ設置用治具の取付手順を示す図である。図３は、本発明の実施例１の排水スリーブ設置用治具の反割パイプへの取付状態を示す斜視図である。
【００１８】
排水スリーブ設置用治具１は、塩化ビニル製で円筒状のパイプを断面が半円の円弧状となるように半分に切断した形状の半割パイプからなる排水スリーブ２をコンパネ３で四方を囲んで形成される型枠で区画されたところに設置する際に使用する排水スリーブ設置用治具である。なお、図２等において排水スリーブ２の開口端接触面１２２と反対側の長手方向に延在する部分は図示を省略している。排水スリーブ設置用治具１は、湾曲部１１とフランジ部１２と係合部１４と貫通孔１３とを備えるものであり、これらは一体として樹脂材料の金型成形で製造できる。排水スリーブ設置用治具１は、図２に示されるとおり、生コンクリートを流し込むための型枠を形成するコンパネ３すなわち型枠のコンクリート型枠用合板の表面に対して立設して固定し、排水スリーブ設置用治具１の外側から、排水スリーブを形成する排水スリーブ２を嵌合して使用するものである。
【００１９】
湾曲部１１は、半円形で、外周側に排水スリーブ２の内周面２２へ当接可能である円弧面を有する。円弧面の曲率は排水スリーブ２の内周面２２の曲率と概ね一致する曲率としてある。本実施例においては、外周全体が排水スリーブ２の内周面２２に当接する内周接触円弧面である。また、フランジ部１２側から離れるにしたがって、径が小さくなるテーパ形状になっている。本実施例では湾曲部１１とフランジ部１２のなす角は、排水スリーブ２載置側で９１°であるが、これに限られない。本実施例において、湾曲部１１の幅は２０ｍｍ程度であるがこれに限定されない。
【００２０】
フランジ部１２は、湾曲部１１の一方の端面側に湾曲部１１の径方向外方へ半円扇形の鍔状に突設されている。フランジ部１２では、湾曲部１１側が排水スリーブ２の開口端部２１に当接可能な開口端接触面１２２となっている。また、フランジ部１２では、開口端接触面１２２と反対側が型枠であるコンパネ３の表面に当接可能な型枠接触面１２１となっている。湾曲部１１とフランジ部１２と、排水スリーブ設置用治具１に固定されたコンパネ３とにより、排水スリーブ２の開口端部２１が密閉される。本実施例において、フランジ部１２の厚みは３ｍｍ程度であるがこれに限定されない。
【００２１】
貫通孔１３は、コンパネ３の表面に型枠接触面１２１を接触させた状態で固定するための食い込み部材（図示しない）を取付するための穴である。貫通孔１３は湾曲部１１の内側面左右２か所に設けられている。本実施例の排水スリーブ設置用治具１は、湾曲部１１の開口側両端を結ぶ支柱１５ａと支柱１５ａと垂直であって湾曲部１１の中央部と支柱１５ａの中央部とを結ぶ支柱１５ｂを有し、貫通孔１３が湾曲部１１の内側面の他に支柱１５ｂにも設けられているが、支柱１５ｂのみに貫通孔１３があってもよい。貫通孔１３は、湾曲部１１の内周接触円弧面よりも内側に設けてある。
【００２２】
係合部１４は、湾曲部１１のフランジ部１２側の端面にフランジ部１２と平行にリブ状に立設されている。また、係合部１４は、湾曲部１１へ排水スリーブ２を当接させた後、湾曲部１１の外周面２３を係止可能とする爪を開口端接触面１２２側に有する。開口端接触面１２２側の爪の上部は湾曲部１１方向に裾広がりの傾斜があり、爪の突出した部分の下面は平らになっている。なお、図１（ｂ）の側面図においては、係合部１４の図示を省略してある。本実施例において、係合部１４のリブ部分の厚みは１ｍｍ程度であるがこれに限定されない。
【００２３】
係合部１４は本実施例では２か所設けてあるが、中央部だけでもよいし、３か所以上設けてもよい。係合部１４は、弾性を有しているので、フランジ部１２の型枠接触面１２１がコンパネ３の表面に密着した状態で排水スリーブ２を挿入するときにも、爪の上部傾斜が排水スリーブ２開口端に押されると反って挿入しやすくすることができる。係合部１４で固定されるため、フランジ部１２と開口端部２１との間に隙間が形成されることを防止できる。
【００２４】
係合部１４は、また、排水スリーブ２を挿入して湾曲部１１に当接して嵌合した後には浮き上がって外れないように、湾曲部１１の外周面から前記爪までの長さが排水スリーブ２の厚みより僅かに長くなっており、排水スリーブ２を排水スリーブ設置用治具１に嵌めた後に型枠内に生コンクリートを流し込んだ際に排水スリーブ２が排水スリーブ設置用治具１から外れてしまうことを防止できる。
【００２５】
本実施例の排水スリーブ設置用治具１は、コンパネ３を、高層ビルなどの建設現場や家屋の最下層における、土間スラブなどの排水スリーブ設置場所に型枠を立設して区画した床面に排水スリーブ２となる半割パイプを、コンパネ３の向かい合う面に排水スリーブ２の両端が接するように、かつ排水スリーブ２の開口部が床面に当接するように載置し、型枠内に生コンクリートを打設し、型枠内に流し込まれた生コンクリートが固まった後で型枠を取り外して形成する。生コンクリートの他、流動性があって静置して一定時間経過後に固化する他の固化剤でもよい。型枠には固化剤が固まった後、剥離可能な表面を有するものを用いる。コンクリートが固化した後、排水スリーブ２はコンクリートの中に埋設され、型枠のコンパネ３を取り外すことで排水スリーブ２の流水出入口が確保される。排水スリーブ２を使って集められた排水は揚水ポンプなどで外部に放出できる。
【００２６】
まずは対向する２枚のコンパネ３の表面それぞれに排水スリーブ設置用治具１を型枠接触面１２１がコンパネ３に接触するようにして排水スリーブ２を設けたい位置に置いて、貫通孔１３に食込み部材を差し込んでコンパネ３までねじ込み等により貫入して排水スリーブ設置用治具１をコンパネ３に固定する。食込み部材としては、釘が好適に用いられるが、ネジ等を用いることも可能である。排水スリーブ設置用治具１を取り付けた２枚のコンパネ３を排水スリーブ２の流入口となる側に平行に置き、他の複数のコンパネを排水スリーブ２の長手方向となる側等に立設してすべてのコンパネで排水スリーブ２を取り囲むようにして、生コンクリートを打設するための型枠を形成する。床面にねじ止めする必要がないため、床面が硬質でも設置可能となり、壁面に沿って或いは壁面近傍に設置することも可能となる。
【００２７】
あとは、排水スリーブ２を排水スリーブ設置用治具１に、開口端部２１が開口端接触面１２２に接した状態で内周面２２が湾曲部１１の内周接触円弧面に密着するように嵌め込むだけで型枠内に生コンクリートを流し込んで固め、型枠を取り外すだけで、容易にコンクリート内に埋設された排水スリーブの設置が完成し排水トンネルを形成する。係合部１４の爪で排水スリーブ２が固定されるため、生コンクリートを型枠内に流し込む際の流動圧力によって排水スリーブ２の位置が所定の位置からずれてしまうおそれがない。排水スリーブ２の両端とコンパネ３との間はフランジ部１２で密着されているため、生コンクリートが排水スリーブ２内に流入して内部にコンクリートが残留して固まってしまうおそれがない。
【００２８】
型枠の壁であるコンパネ３を外す際には、食込み部材によってコンパネ３側に固定された排水スリーブ設置用治具１を一体として取り外せるので、ハンマー等で叩き割る等の作業を要しない。本実施例においては、湾曲部１１はテーパ状になっており、すなわち排水スリーブ２の内周面２２から徐々に離れる方向に傾斜しているので、コンパネ３を外す時に係合部１４の爪に引っかからず無理な力を与えなくても、極めて容易に外れる。コンパネ３を外すと排水スリーブ２内は完全な空洞で張り出しなどが残らないため排水の障害となることがない。
【００２９】
本実施例によれば、排水スリーブ設置時の位置ずれを防止し、排水スリーブ内への生コンクリートの流入を阻止するとともに、排水スリーブ形成後に簡易に排水スリーブから取り外すことを可能とする。本実施例によれば、ピットに溜まった水の水抜きのための排水トンネルを手間なく美しい仕上がりで設置することができる。
【実施例２】
【００３０】
図４は、本発明の実施例２の排水スリーブ設置用治具の(a)正面図（ｂ）要部Ａ´-Ａ´面断面図である。図５は、本発明の実施例２の排水スリーブ設置用治具の斜視図である。実施例２の排水スリーブ設置用治具１´は湾曲部の形状以外実施例１の排水スリーブ設置用治具１の構造と一致するので、説明は省略する（図４及び図５において、実施例１と一致する部分については同一の番号を付する）。実施例２の湾曲部１１´は、図４及び図５に示すとおり、周方向に連続して形成することを要せず、排水スリーブ２の径に対応させた内周接触円弧面１１１´を他の部分と分断して湾曲部１１´を形成することができる。内周接触円弧面１１１´の方が他の部分の半径より大きい。排水スリーブ２に用いられる塩化ビニル製の半割パイプは、ＶＰ管とＶＵ管があり、径にも７５、１００、１５０、２００といった種類がある。実施例１の金型成形に使用される金型の湾曲部１１部分を、使用する排水スリーブ２のうち最小の径となるようにしておき、湾曲部１１´の内周接触円弧面１１１´に対応する部分だけ独立したコマとしておくことにより、排水スリーブ２の径に対応してコマの位置を変更することができ、同一の金型を用いて、様々な半割パイプに装着可能な排水スリーブ設置用治具を成形することができる。金型作成にはコストがかかるため、コマの位置変更だけで様々な径用の排水スリーブ設置用治具が製造できることによってコストダウンを実現できる。なお、半割パイプの代わりに円筒状のパイプで排水スリーブを設ける場合、２つの排水スリーブ設置用治具を用いて設置することもできる。
【００３１】
なお、本発明は、上記実施の形態に限定されず、その発明の趣旨を逸脱しない範囲で種々と変形実施が可能である。
【符号の説明】
【００３２】
１            排水スリーブ設置用治具
１１、１１´  湾曲部
１１１´      内周接触円弧面
１２          フランジ部
１２１        型枠接触面
１２２        開口端接触面
１３          貫通孔
１４          係合部
１５          支柱
２            排水スリーブ
２１          開口端部
２２          内周面
２３          外周面
３            コンパネ
【図１】
2014190009.tif 000003
【図２】
2014190009.tif 000004
【図３】
2014190009.tif 000005
【図４】
2014190009.tif 000006
【図５】
2014190009.tif 000007